(57)【要約】【課題】ＡＴＲ測定装置を用いて測定を行った試料の回収時の散逸が防止できる試料回収容器を提供する。【解決手段】ＡＴＲ測定装置１の前面に取り付けられ、測定済みの試料Ｓを回収する試料回収容器２であって、ＡＴＲ測定装置１を構成するプリズム１３を嵌着するプレート１４と該プレート１４に冠着させ取り外し可能なカバー１９との間に挿入し、テープで固定する取付面２１と前記プリズム１３上の試料Ｓを掃き寄せて収納する試料収納部２２とを備えている。【選択図】            図１
0003140512.tif 000002
【実用新案登録請求の範囲】
【請求項１】
試料が載置されこの試料への入射光および試料からの反射光の光路を決めるプリズムを固着するプレートと、前記プレートに嵌着されるカバーとを有するＡＴＲ測定装置に取り付けられる試料回収容器であって、前記カバーとプレートとの間に挿入して固定させる取付部位と、前記プリズムおよびプレート上の試料が掃き寄せ収納される試料収納部位を備えていることを特徴とする試料回収容器。
【請求項２】
前記試料回収容器は、紙材を折込んで取付部位と試料収納部位とを作成され使い捨て型として形成されてなる請求項１記載の試料回収容器。
【考案の詳細な説明】
【技術分野】
【０００１】
本考案は、赤外線分光光度計の付属装置であるＡＴＲ（Ａｔｔｅｎｕａｔｅｄ  Ｔｏｔａｌ  Ｒｅｆｌｅｃｔｉｏｎ）測定装置を用いて測定された試料を回収するために使用する試料回収容器に関する。
【背景技術】
【０００２】
分散型赤外分光光度計やＦＴＩＲ分光光度計に頻繁に利用されるＡＴＲ測定装置は、様々な形態の試料を化学的に前処理を行なわずに、また機械的にも加工せずに分析が行なえるので、１回反射形や多重反射形など様々なＡＴＲ測定装置が広く利用されている。
【０００３】
図６に、１回反射形ＡＴＲ測定装置４を装備したＦＴＩＲ分光光度計５の構造例を示す。この１回反射形ＡＴＲ測定装置４はＦＴＩＲ分光光度計５の付属装置として結合されている。高輝度セラミックス製の光源５１から出射された赤外光をマイケルソン形の干渉計５２を介してミラー４１に入射する。この赤外光はミラー４１で反射して進路を変更され、金属プレート４３に密着したサポートエレメント４４に入射する。前記サポートエレメント４４で屈折した赤外光はダイヤモンドなどの材質からなるプリズム４５を透過し、試料Ｓに一定距離入射した後反射して、ミラー４２を介して検出器５３に入射し、その入射量が測定される。
【０００４】
図７は１回反射形ＡＴＲ測定装置４を搭載したＦＴＩＲ分光光度計５の外観を示す斜視図である。試料（図示省略）は上部の金属プレート４３に組み込まれたプリズム４５上に載置され、赤外光Ｉが入射されて試料から反射された赤外光Ｒが測定される。測定後の試料は掃き取られまたは拭き取られて除去される。試料は完全に取り除く必要があるため、場合によってはプリズム４５およびその周辺部分の洗浄が必要になることがある。
【特許文献１】特開２００３−１４９１４２号公報
【考案の開示】
【考案が解決しようとする課題】
【０００５】
上記の１回反射形ＡＴＲ測定装置４で粉末試料を測定した場合は、測定後、プリズム４５の表面から粉末試料を取り除くことが必要であるが、ティッシュペーパーなどによる拭き取りは面倒であり、またその際に試料の散逸が発生または固着し、１回反射形ＡＴＲ測定装置４自体や試料室６内を汚す結果となる。試料室６内に落下した粉末試料は固着などして、錆などの原因にもなる可能性があり、また試料室６内に散逸したものを取り除くためには掃除機などを使用した手数を要する作業が必要になる。
【０００６】
本考案は上記の事情に鑑みてなされたものであって、プリズム上の試料の回収が容易な試料回収容器を提供することを目的とするものである。
【課題を解決するための手段】
【０００７】
上記の目的を達成するため、本考案の試料回収容器は、試料が載置されこの試料への入射光および被測定試料からの反射光の光路を決めるプリズムを固着するプレートと、前記プレートに嵌着されるカバーとを有するＡＴＲ測定装置に取り付けられる試料回収容器であって、前記カバーとプレートとの間に挿入して固定させる取付部位と、前記プリズムおよびプレート上の試料が掃き寄せ収納される試料収納部位を備えているものである。また、本考案の試料回収容器は、紙材を折込んで取付部位と試料収納部位とを作成せるものである。
【０００８】
本考案の試料回収容器は上記のように構成されており、試料を周囲に散逸させることなく容易に回収し廃棄することができる。また、紙材で構成した場合は、使い捨てにすることもできる。
【考案の効果】
【０００９】
本発明による試料回収容器を使用して測定を行なうことにより、試料が試料室へ散逸するのを防ぐことができ、しかも簡便に拭き取りを行なうことができ、作業時間も節約できる。さらに圧力センサ付の装置に対してもインジケーターの読取りが妨害されることなく設置することができる。また、本試料回収容器は、紙材などの安価な材料を使用することができるので安価に作成でき、試料回収物ごと破棄できるので作業の効率を向上させることができる。
【考案を実施するための最良の形態】
【００１０】
本考案による試料回収容器を図面を参照しながら説明する。図１は本考案による試料回収容器２をＡＴＲ測定装置１に装着した状態においてその一部を断面で示す構造図で、（Ａ）は一部を断面で示す正面図、（Ｂ）は右側面図、（Ｃ）は上面図である。以下この図１（Ａ）（Ｂ）（Ｃ）に示される構造について説明する。ＡＴＲ測定装置１の右側面側には、赤外光を試料Ｓへ入射する入射口１１が設けられ、試料Ｓからの赤外光を出射する出射口１２が左側面側に設けられている。そしてさらに円形台座部分に１回反射形のプリズム１３を固着した、例えば金属製のプレート（以下単に「プレート」と称す）１４を上面に固設し、プリズム１３に試料Ｓを一定の力で押し付けるための押し具１５を固設している。
【００１１】
前記押し具１５のノブ１６を回すとその先端部１５ａで試料Ｓを押し付け、その押力は圧力センサ１７で検出され、その圧力はインジケーター１８に表示される。前記プレート１４には取り外し可能なカバー１９を被嵌させている。
【００１２】
本考案による試料回収容器２は、Ａ５サイズの用紙を使用し後述する方法で作成されるもので、取付面２１と試料収納部２２とが形成されている。この取付面２１を前記プレート１４の前側のカバー１９と台座の隙間に挟み込んで取り付ける。あるいは、カバー１９を取り外し、プレート１４の前側に配設し、テープ（図示省略）を貼付して台座に固定して、カバー１９を取り付ける。前記試料収納部２２の深さはこの試料回収容器２を取り付けた状態でインジケーター１８が充分読取れるものとする。この状態で小形の刷毛等を用いてプリズム１３上の試料Ｓを前方へ掃き集め試料収納部２２に収納することにより、試料ＳはＡＴＲ測定装置１から散逸せず、試料収納部２２内に収容することができる。
【００１３】
前記試料回収容器２の材料として、図２に示すようなラインを印刷したＡ５サイズの紙材３を使用する。実線で示すライン３１は切込線、点線で示すライン３２は内側への折込線、一点鎖線で示すライン３３は外側への折込線を表している。図３は試料回収容器２の完成図で、（Ａ）は上面図、（Ｂ）は側面図、（Ｃ）は裏面図をそれぞれ示している。この試料回収容器２は、紙材３のライン３１に沿って切込みを入れた後、ライン３２を内側に向けて折り込み、ライン３３を外側に向けて折り込み、さらに図３（Ｃ）に示すように折曲部２３を三角部２４に差し込むことにより取付面２１、試料収納部２２が形成される。
【００１４】
前記試料回収容器２は、上記実施例に限定されるものではなく、紙材３の代わりに樹脂材料や金属材料などを用いることもできる。また、形状についても裏面の折曲部分を図４（Ａ）に示す試料回収容器２Ａのように三角部２４の形状にし、この部分を接着剤で固定したり、同図（Ｂ）に示す試料回収容器２Ｂのように三角部２４をテープ２５で固定するようにしてもよい。
【００１５】
図５は、試料回収容器２を樹脂成型品として作成した場合の試料回収容器２Ｃの形状を示すものである。図５（Ａ）は試料回収容器２Ｃの正面図、（Ｂ）はその側面図、（Ｃ）はさらに加熱状態で後部壁面の上部を折り曲げて取付面２６として形成した図である。この取付面２６を前記プレート１４の前側上面に沿うように配設し、テープ（図示省略）を貼付してプレート１４に固定する。この場合、取付面の厚みに合わせてプレート１４とカバー１９との間に隙間を設けておくことが好ましい。また、試料回収容器２Ｃの後部壁面に磁石を埋め込むか接着しておくことにより、テープを使用せず固着させることができる。なお、上記ではプレートを金属製として説明したが、金属製に限定されるものではなく、紙材やプラスチック材などにて形成したものも含まれる。
【００１６】
また、上記試料回収容器２、２Ａおよび２Ｂは、その試料収納部２２の内側から磁石をあてがいＡＴＲ測定装置１前面に吸着させることにより、テープを使用せずに固着させることができる。
【産業上の利用可能性】
【００１７】
ＡＴＲ測定装置で測定された試料を回収する試料回収容器に用いられる。
【図面の簡単な説明】
【００１８】
【図１】本考案の実施例による試料回収容器を固着したＡＴＲ測定装置の正面図（Ａ）、側面図（Ｂ）および上面図（Ｃ）である。
【図２】試料回収容器の展開図である。
【図３】試料回収容器の形状を示す上面図（Ａ）、側面図（Ｂ）および裏面図（Ｃ）である。
【図４】試料回収容器の他の実施例を示す図である。
【図５】樹脂成型による試料回収容器の正面図（Ａ）、側面図（Ｂ）および加熱成型後の側面図（Ｃ）である。
【図６】ＡＴＲ測定装置を使用したＦＴＩＲ分光光度計の概略構成図である。
【図７】ＡＴＲ測定装置を使用したＦＴＩＲ分光光度計の斜視図である。
【符号の説明】
【００１９】
１  ＡＴＲ測定装置
２  試料回収容器
２Ａ  試料回収容器
２Ｂ  試料回収容器
２Ｃ  試料回収容器
３  紙材
４  １回反射形ＡＴＲ測定装置
５  ＦＴＩＲ分光光度計
６  試料室
１１  入射口
１２  出射口
１３  プリズム
１４  プレート
１５  押し具
１５ａ  先端部
１６  ノブ
１７  圧力センサ
１８  インジケーター
１９  カバー
２１  取付面
２２  試料収納部
２３  折曲部
２４  三角部
２５  テープ
２６  取付面
３１  ライン
３２  ライン
３３  ライン
４１  ミラー
４２  ミラー
４３  金属プレート
４４  サポートエレメント
４５  プリズム
５１  光源
５２  干渉計
５３  検出器
Ｉ  赤外光
Ｒ  赤外光
Ｓ  試料
【図１】
0003140512.tif 000003
【図２】
0003140512.tif 000004
【図３】
0003140512.tif 000005
【図４】
0003140512.tif 000006
【図５】
0003140512.tif 000007
【図６】
0003140512.tif 000008
【図７】
0003140512.tif 000009